(57)【要約】  【課題】購入した光ディスク等のメディアやその付属品を簡単に収納可能であり、且つそれらの折れや擦れなどの劣化を有効に回避することができるメディア収納ケースを提供する。  【解決手段】本実施形態に係るメディア収納ケースＣは、上述したベース１とポケット形成部材２とに加え、展開状態（Ｑ）としたポケット４の開口端においてベース１とポケット形成部材２とを自由に接離させ得る後述する挿入補助部４１１ａ、４１２ａ並びに４２１ａとを具備している。斯かる構成により、可撓性シートであるベース１やポケット形成部材２との不必要な摩擦によって、付属物Ｊたるジャケットが折れたり、曲がったりしてしまうといった不具合や、購入時の状態にある光ディスクＤや付属物Ｊの移し替えや、メディア収納ケースＣからの出し入れの動作が煩雑なものとなったり、付属物Ｊの折れや擦れといった劣化を招来したりするという不具合を回避したものとなっている。  【選択図】図１
2010018295.tif 000002
【特許請求の範囲】
【請求項１】
折り畳み可能な折畳状態と当該折畳状態から展開して内側を開放させた展開状態とをとり得るベースと、
当該ベースの内側に止着することより複数のポケットを形成し得るポケット形成部材と、
前記展開状態とした前記ポケットの開口端において前記ベースと前記ポケット形成部材とを自由に接離させ得る挿入補助部とを具備していることを特徴とするメディア収納ケース。
【請求項２】
前記ベースとポケット形成部材との間の空間を複数のポケットに仕切る保護シートをさらに有するものとし、
前記ベースに面する前記ポケットの開口端において前記ポケット形成部材と前記保護シートとを重層させてなる請求項１記載のメディア収納ケース。
【請求項３】
前記保護シートと前記ベース又は前記ポケット形成部材との間に前記挿入補助部を設けている請求項２記載のメディア収納ケース。
【請求項４】
前記ベースに面する前記ポケットの開口端において前記ポケット形成部材を重層させてなる請求項１又は２記載のメディア収納ケース。
【請求項５】
前記重層させて形成したポケット形成部材が、さらに他のポケットを形成している請求項４記載のメディア収納ケース。
【請求項６】
前記他のポケットを形成しているポケット形成部材が前記ベースに止着することにより前記ポケットをさらに形成するものであり、
前記ポケットと前記他のポケットとを止着した三重止着部と、前記ポケットの前記挿入補助部と前記他のポケットとが重層する二重止着部とをさらに有するものとしている請求項５記載のメディア収納ケース。
【請求項７】
前記ポケットが、当該ポケットの開口端の中央に位置付けたスリットをさらに具備している請求項１、２、３、４、５又は６記載のメディア収納ケース。
【請求項８】
前記ベースが、当該ベースを折畳状態とし得る折畳線と、
当該折畳線近傍にベースを屈曲させ得るベース厚変更部とを有している請求項１、２、３、４、５、６又は７記載のメディア収納ケース。
【請求項９】
前記ベースにおける前記挿入補助部近傍に、前記ポケットの開口縁に沿って延出するとともに延出方向に直交する方向の両端のみをベースに止着した架設帯をさらに設けている請求項１、２、３、４、５、６、７又は８記載のメディア収納ケース。
【請求項１０】
前記ベースを透明または採光性を有するものとしている請求項１、２、３、４、５、６、７、８又は９記載のメディア収納ケース。
【発明の詳細な説明】
【技術分野】
【０００１】
本発明は、コンパクトディスク（ＣＤ）、デジタルバーサタイルディスク（ＤＶＤ）などのメディアを収納するためのメディア収納ケースに関するものである。
【背景技術】
【０００２】
従来、たとえば可撓性を有する樹脂製のシートや不織布などの保護シートを適宜止着することによって、一般に販売されているような音楽ＣＤや映像を記録したＤＶＤやそれに付属するジャケット等の付属物を、販売時に梱包している硬質のケースから取り出して、入れ替え保管しておくことができるメディア収納ケースが種々提案されている（たとえば、特許文献１参照）。
【０００３】
これらのものは、上記販売時に用いられる硬質のケースに比べて、多くの場合厚みを薄く構成し得ていることから、コンパクトに収容することが可能となっており、多くのＣＤやＤＶＤを所有・保管している使用者にとっては収納場所を大きく節約することが可能となるために、広く用いられている。
【特許文献１】特開平９−６６９８１号公報
【発明の開示】
【発明が解決しようとする課題】
【０００４】
しかしながら、上記のようなメディア収納ケースは、特にそれらの紙製の付属物の大きさに対応した大きさのポケットの開口端としての可撓性シートの隙間に入れていかねばならず、その際には可撓性シートと紙との不必要な摩擦によって、場合によってはジャケットが折れたり、曲がったりしてしまうといったことが起こりうる。すなわちこのようなものでは、購入時の状態にあるディスクや付属物の移し替えや、メディア収納ケースからの出し入れの動作が煩雑なものとなるか、付属品の折れや擦れといった劣化を招来するという不具合を有するものとなっている。
【０００５】
本発明は、このような不具合に着目したものであり、購入した光ディスク等のメディアやその付属品を簡単に収納可能であり、且つそれらの折れや擦れなどの劣化を有効に回避することができるメディア収納ケースを提供する。
【課題を解決するための手段】
【０００６】
本発明は、このような目的を達成するために、次のような手段を講じたものである。すなわち、本発明に係るメディア収納ケースは、折り畳み可能な折畳状態と当該折畳状態から展開して内側を開放させた展開状態とをとり得るベースと、当該ベースの内側に止着することより複数のポケットを形成し得るポケット形成部材と、前記展開状態とした前記ポケットの開口端において前記ベースと前記ポケット形成部材とを自由に接離させ得る挿入補助部とを具備していることを特徴とする。
【０００７】
このようなものであれば、可撓性シートと紙との不必要な摩擦によって、場合によってはジャケットが折れたり、曲がったりしてしまうといった不具合や、購入時の状態にあるディスクや付属物の移し替えや、メディア収納ケースからの出し入れの動作が煩雑なものとなったり、付属品の折れや擦れといった劣化を招来したりするという不具合を有効に回避することができる。すなわち本発明によれば、光ディスク等のメディアや付属物の収納や取り出しを正確且つ速やかに行うことができる。
【０００８】
ベースと保護シートとをより有効に開成させるためには、ベースとポケット形成部材との間の空間を複数のポケットに仕切る保護シートをさらに有するものとし、ベースに面するポケットの開口端においてポケット形成部材と保護シートとを重層させてなるものとすることが望ましい。
【０００９】
保護シートに対してディスクの挿入の際に不必要な摩擦が起こり難いものとするためには、保護シートとベース又はポケット形成部材との間に挿入補助部を設けておくことが好ましい。
【００１０】
ベースとポケット形成部材との間の開口端をより開けやすいものとするためには、ベースに面するポケットの開口端においてポケット形成部材を重層させてなる請求項１又は２記載のメディア収納ケース。
【００１１】
購入時の光ディスク等のメディアに付属する様々な付属物をより好適に収納し得るものとするためは、重層させて形成したポケット形成部材が、さらに他のポケットを形成することが好ましい。そして特に他のポケットを利用して挿入補助部をより開き易いものとするための構成として、他のポケットを形成しているポケット形成部材がベースに止着することによりポケットをさらに形成するものとし、ポケットと他のポケットとを止着した三重止着部と、ポケットの挿入補助部と他のポケットとが重層する二重止着部とをさらに有するものとすればよい。
【００１２】
さらにポケットの開口端を開けやすくするための構成として、ポケット形成部材が、ポケットの開口端の中央に位置付けたスリットをさらに設けたものを挙げることができる。
【００１３】
様々な厚みを有するものを収容しても、ベースが折畳状態を安定して維持することができるものとするためには、ベースが、当該ベースを折畳状態とし得る折畳線と、当該折畳線近傍にベースを屈曲させ得るベース厚変更部とをするものとすればよい。
【００１４】
さらに他の付属物を挟み綴じておく構成とするためには、ベースにおける挿入補助部近傍に、ポケットの開口縁に沿って延出するとともに延出方向に直交する方向の両端のみをベースに止着した架設帯をさらに設けたものとしてもよい。
【００１５】
収納物の内容を速やかに認識易いものとするためには、ベースを透明または採光性を有するものとすることが望ましい。
となる。
【発明の効果】
【００１６】
本発明によれば、購入時の状態にあるディスクや付属物の移し替えや、メディア収納ケースからの出し入れの動作の際に、場合によっては光ディスク等のメディアに付帯する表ジャケットといった付属物が折れてしまったり、曲がったりしてしまうといった不具合を有効に回避することができる。
【発明を実施するための最良の形態】
【００１７】
＜第１実施形態＞
以下、本発明の第１実施形態について図面を参照して説明する。
【００１８】
本実施形態に係るメディア収納ケースＣは、市販の音楽ＣＤといったメディアたる光ディスクＤやそれに付属するジャケット等の付属物Ｊ含めた全てを、購入時に梱包している硬質のケースから取り出して、入れ替えてコンパクトに保管しておくためのものである。
【００１９】
具体的には、メディア収納ケースＣは図１、図２、図３及び図４に示すように、折畳状態（Ｐ）と当該折畳状態（Ｐ）から展開して内側を開放させた展開状態（Ｑ）とをとり得るベース１と、当該ベース１の内側に止着することより複数のポケット４を形成し得るポケット形成部材２と、ベース１とポケット形成部材２との間の空間を複数のポケット４に仕切る保護シート３とを適宜裁断並びに止着することによって、光ディスクＤや、ジャケット等の付属物Ｊを収納することができる、後述するディスク収納部４１２やジャケット収納部４１１、４２１、そして帯収納部４２３といった複数のポケット４を形成したものである。
【００２０】
ここで、本実施形態に係るメディア収納ケースＣは、上述したベース１とポケット形成部材２とに加え、展開状態（Ｑ）としたポケット４の開口端においてベース１とポケット形成部材２とを自由に接離させ得る後述する挿入補助部４１１ａ、４１２ａ並びに４２１ａとを具備していることを特徴とするものである。
【００２１】
以下、斯かるメディア収納ケースＣの構成について、具体的に説明する。
【００２２】
ベース１は、図１乃至図４に示すように、例えば透明又は採光性を有する可撓性シートによってなるものであり、一端部１ｂにある折畳線１ｄでベース本体１ａを二つ折りに折り畳んだ折畳状態（Ｐ）と当該折畳状態（Ｐ）から他端部１ｃを展開して内側を開放させた展開状態（Ｑ）とをとり得るものとしている。
【００２３】
ポケット形成部材２は、図１乃至図４に示すように、ベース１の内側に直接或いは保護シート３を介して、例えば溶着などによって止着することより、複数のポケット４を形成しているものである。本実施形態ではポケット形成部材２は、上記ベース１と同一の材料によって構成しているものとしている。  保護シート３は、例えば不織布といった、接触するものに対して摩擦などによる損傷を極めて起こし難い素材によって構成されているものである。当該保護シート３は、ポケット形成部材２とベース１とに所定の位置で溶着などにより止着されることで、それらの間を仕切るように設けられている。そしてベース１とポケット形成部材２との間の空間に複数のポケット４を形成することによって、その一方のポケット４を、光ディスクＤを好適に収納し得るディスク収納部４１２として、光ディスクＤの記録面に対する衝撃や当該保護シート３との摩擦から、好適に保護し得るものとなっている。そして当該保護シート３は、本実施形態では、ベース１に面するポケット４の開口端においてポケット形成部材２と重層させるように設けている。
【００２４】
ポケット４は、図１、図２及び図４に示すように、展開状態（Ｑ）とした場合に開口端を露出させることによって、光ディスクＤや、当該光ディスクＤに付帯する付属物Ｊを収納並びに取り出しをし得るものである。そしてこのポケット４は、光ディスクＤを収納するためのディスク収納部４１２の他に、ベース１に接し且つ開口端を互いに対面させて設けたジャケット収納部４１１、４２１と、ポケット形成部材２を重層させることにより、上述のディスク収納部４１２に開口面を対向させるように設けた他のポケットたる帯収納部４２３とを有している。ジャケット収納部４１１、４２１は、上述の通りベース１が採光性を有することから、付属物Ｊがベース１を介して視認可能となっており、ベース１の他端部１ｃまでポケット４を形成している。そしてこれらジャケット収納部４１１、４２１は、開口端の上下両端にアールを設けるとともにベース１との止着箇所の端部を離間させることによって、ベース１とポケット形成部材２とを自由に接離させ得る挿入補助部４２１ａと、ベース１と保護シート３とを自由に接離させ得る挿入補助部４１１ａとを設けている。
【００２５】
他方ディスク収納部４１２は、開口端の上下両端にジャケット収納部４１１、４２１に端が揃うようにアールが形成されるとともに、保護シート３とポケット形成部材２とを自由に接離させ得る挿入補助部４１２ａを有するとともに、ポケット４の開口端の中央に位置付けたスリット４１２ｃをさらに具備している。スリット４１２ｃは、本実施形態では、ディスク収納部４１２の開口端中央から光ディスクＤの中央に対応する箇所を超えて当該箇所から保護シート３とポケット形成部材２との止着部分の手前まで延伸させて形成している。
【００２６】
そして帯収納部４２３は、ジャケット収納部４２１に対してポケット形成部材２をさらに重層させて形成したものであり、購入時に付属するケースの背に付着している帯状の付属物Ｔの寸法に対応させている。
【００２７】
以上のような構成とすることにより、可撓性シートであるベース１やポケット形成部材２との不必要な摩擦によって、付属物Ｊたるジャケットが折れたり、曲がったりしてしまうといった不具合や、購入時の状態にある光ディスクＤや付属物Ｊの移し替えや、メディア収納ケースＣからの出し入れの動作が煩雑なものとなったり、付属物Ｊの折れや擦れといった劣化を招来したりするという不具合を有効に回避し得たものとなっている。
【００２８】
また本実施形態では、ベース１に面するポケット４の開口端においてポケット形成部材２と保護シート３とを重層させてベース１と保護シート３との間をより有効に開成させ得るものとなっている。
【００２９】
そして本実施形態では、保護シート３に対して光ディスクＤの挿入の際に不必要な摩擦が起こり難いものとするためには、保護シート３とポケット形成部材２との間に挿入補助部４１２ａを設けたものとしている。
【００３０】
そして、斯かるメディア収納ケースＣは、ベース１とポケット形成部材２との間の開口端をより開けやすいものとするために、ベース１に面するポケット４の開口端においてポケット形成部材２を重層させたものとしている。
【００３１】
特に本実施形態では、このようにして帯収納部４２３が、上述の通り三重止着部４ａと二重止着部４ｂとを設けたものとしているので、ジャケット収納部４２１の開口端における強度を三重止着部４ａにより有効に補強しつつ、二重止着部４ｂを設けることにより挿入補助部４２１が湾曲させたベース１から真っ直ぐに立ち上がり、ジャケット収納部が広く開口して好適に付属物Ｊを収納し得るようになっている。
【００３２】
購入時に付属する様々な付属物Ｊをより好適に収納し得るものとするために、重層させて形成したポケット形成部材２が、さらに他のポケット４として帯収納部４２３を形成し、帯状の付属物Ｔを収納し得るものとしている。
【００３３】
さらにポケット４の開口端を開けやすくするための構成として、本実施形態では、ポケット４であるディスク収納部４２１が、ポケットの開口端の中央に位置付けたスリット４２１ｃをさらに設けている。
【００３４】
なお、本実施形態に係るメディア収納ケースＣでは、複数のケースをファイリングするための綴じ部５を設けても良い。この綴じ部５は、ベース１を構成する部材を折り返して所定箇所を止着することによって形成した、綴じられるための領域である綴じ代５ａと、綴じ代５ａに市販の２穴タイプの綴じ具に綴じることができるように設けた綴じ穴５ｂとを有していてもよい。本実施形態では綴じ穴５ｂの構成を２穴タイプの綴じ具に対応させた対応を図示しているが、綴じ部５の構成は斯かる構成に限られることはなく、既存の種々の綴じ具に対応し得るように構成することが可能である。
【００３５】
また本実施形態に係るメディア収納ケースＣは、折畳状態（Ｐ）を保持するための保持片６を具備していてもよい。
【００３６】
保持片６は、本実施形態ではベース１を形成する部材を折畳状態（Ｐ）における自由端である他端部１ｃから折り返して形成した折り返し部６ａと、折り返し部６ａ近傍から一定寸法、一端側へ向けて上下端を止着して、当該保持片６のベース１に対する開成動作を抑制するための止着部６ｂとを有するものである。そしてこの保持片６は、保持片６は採光性を有するもの、すなわち保持片６を介した先方を透視可能としているので、他端部１ｃにおいて、例えば付属物Ｊの一部が、見出し部４１１ｄと保持片６とを介して視認可能なものとなっている。
【００３７】
＜変形例１＞
以下に、本実施形態の変形例について詳述する。なお斯かる変形例並びに以下の各変形例において、上記実施形態と同様の構成要素については同じ符号を付し、その詳細な説明を省略するものとする。
【００３８】
本変形例に係るメディア収納ケースＣ１は、図６及び図７に示すように、市販のいわゆる２枚組みＣＤとして発売されているものに対応するためのものである。具体的には、上記実施形態と略同じ綴じ部５、保持片６及び見出し部４１１ｄに加え、ベース１、ポケット形成部材２及び保護シート３を適宜構成することによって、ジャケット収納部４１１並びにディスク収納部４１２に対して、折畳線１ｄを介して略対称にジャケット収納部４２１並びにディスク収納部４２２を形成したものである。
【００３９】
そして本変形例に係るメディア収納ケースＣ１は、特に図６に示すように、上記実施形態の帯収納部４２３の代わりに、ベース１における挿入補助部４１１ａ近傍に、ポケット４たるジャケット収納部４１１の開口縁に沿って延出するとともに延出方向に直交する方向の両端のみをベース１に止着した架設帯７をさらに設けることによって、上記実施形態と同様に帯状の付属物Ｔを挟ませるなどして好適にメディア収納ケースＣ１内に保持し得るようにしたものである。
【００４０】
＜変形例２＞
また本発明に係るメディア収納ケースＣ２は、図８乃至図１０に示すように、ベースの寸法を市販されているＤＶＤジャケットに対応し得るサイズとしたものである。そしてメディア収納ケースＣ２は、上記実施形態と同じ態様であるディスク収納部４１２に隣接させて、開口端においてポケット形成部材２と保護シート３とを接離させ得る収納補助部４１３ａを有している帯収納部４１３を設けるとともに、当該帯収納部４１３に対面する側のジャケット収納部４２１には、開口端の中央から伸びるスリット４２１ｃを設けることにより、挿入補助部４２１ａとともにジャケットなどの付属物Ｊをより挿入し易く構成しているものである。
【００４１】
このように本変形例によれば、ＤＶＤとして市販される態様の商品に対しても好適に適応させることができる。
【００４２】
＜第２実施形態＞
以下、本発明の第２実施形態について説明する。なお、本実施形態についても、上記実施形態並びに変形例と同様の構成要素に対しては同じ符号を付すとともに、その詳細な説明を省略するものとする。
【００４３】
本実施形態に係るメディア収納ケースＣ３は、図１１乃至図１４に示すように、三つ折り可能なベース１を有する、市販の２枚組ＤＶＤ等の２枚の光ディスＤと、それに付属するジャケット等の付属品Ｊ等を収納し得るポケット４を有するものとなっている。具体的には、図１２に示すように、図示右側及び中央部の構成は、上記変形例２同様のジャケット収納部４１１、４２１、ディスク収納部４１２及び帯収納部４１３を設けるとともに、図示左側には、図示右側のジャケット収納部４１１、ディスク収納部４１２及び帯収納部４１３と対称に形成されるジャケット収納部４３１、ディスク収納部４３２及び帯収納部４３３が形成されているものとなっている。
【００４４】
しかして本実施形態に係るメディア収納ケースＣ３は、ベース１を折り畳むための折畳線１ｄ近傍に、ベース１を屈曲させ得るベース厚変更部１ｅを設けたことを特徴とするものである。具体的に説明すると、ベース厚変更部１ｅは、折畳線１ｄに対して所定寸法を隔てながら平行に伸びるように形成されたものとなっており、その所定寸法とは、概ね市販のＤＶＤジャケットの背表紙の幅寸法に対応させたものとなっている。
【００４５】
そして図１４に示すように、折畳状態（Ｐ）においてベース１が折畳線１ｄとベース厚変更部１ｅの位置で適宜屈曲することにより、折畳状態（Ｐ）におけるメディア収納ケースＣ３の厚みを図示のようにベース１の外側が互いに平行な状態を保ったままでベース１の厚みを変更させることが可能となる。そうすることにより、ＤＶＤの付属品として、例えば表ジャケットのみならず、厚みを有するブックレットのような付属物を収納してもベース１が折畳線１ｄの箇所で角度が付いて平面視概略三角形となってしまうことを有効に回避することができる。
【００４６】
＜変形例＞
上記実施形態では、ベース１が有する構成によって折畳状態（Ｐ）でのベース１の厚み寸法を変更し得る構成を開示したが、本変形例では当該構成に加えて、ポケット４の厚み寸法を変更し得るものとすることで、ポケット４自体が、より有効に厚みの大きな付属物Ｊを収納し得る態様について説明する。
【００４７】
しかして本変形例に係るメディア収納ケースＣ４は、図１５に示すように、ポケット４が、ベース１に止着されている箇所に沿って伸び、且つポケット形成部材２を屈曲させ得るポケット厚変更部４２１ｅを具備しているものである。具体的には同図に示すように、ジャケット収納部４２１においてベース１に止着された３辺の止着部分の内側に平行に沿ってポケット形成部材２を屈曲させ得るポケット厚変更部４２１ｅを設け、当該ポケット厚変更部４２１ｅが周辺よりも優先的に屈曲することにより、ベース１とポケット厚変更部４２１ｅに囲まれた領域のポケット形成部材２とが平行な状態を保ちながら離間する構成となる。そうすることにより、上述の通り、厚み寸法の大きなブックレット等の付属物Ｊを好適に収納し得る構成とすることができるものである。そしてベース１とポケット形成部材２との間が離間してジャケット収納部４２１の厚みが増しても、上述のベース厚変更部１ｅが折畳線１ｄと同様に、図１４の如く変形するため、折畳状態（Ｐ）におけるベース１が型くずれするといった不具合を有効に回避し、例えば本棚や収納箱等に好適に収納し得るものとなっている。
【００４８】
以上、本発明の実施形態について説明したが、各部の具体的な構成は、上述した実施形態のみに限定されるものではなく、本発明の趣旨を逸脱しない範囲で種々変形が可能である。
【００４９】
例えば上記のメディア収納ケースは二つ折りの態様のもののみを開示したが、勿論、３つ折りの態様や、４つ以上折り畳む態様などを適用しても良い。また勿論、厚み変更部を設ける数やポケット厚変更部を形成する箇所を何ら限定するものではない。
【００５０】
特に、上記実施形態に係る構成と上記変形例に係る構成は、それぞれ別々に採用されるものではなく、本発明は、上述した全ての構成を適宜組み合わせることにより、上記の構成以外にも種々の構成を有するメディア収納ケースを構成し得るものである。例えば、ＤＶＤ収納用のメディア収納ケースに架設帯の構成を適用することも、勿論可能である。
【００５１】
その他、各部の具体的構成についても上記実施形態に限られるものではなく、本発明の趣旨を逸脱しない範囲で種々変形が可能である。
【図面の簡単な説明】
【００５２】
【図１】本発明の第１実施形態に係るメディア収納ケースを示す外観図。
【図２】同メディア収納ケースの展開状態を示す図。
【図３】同メディア収納ケースの折畳状態を示す正面図。
【図４】同メディア収納ケースの要部拡大図。
【図５】同メディア収納ケースの作用説明図。
【図６】同実施形態の変形例１に係るメディア収納ケースの展開状態を示す図。
【図７】同メディア収納ケースの作用説明図。
【図８】同実施形態の変形例２に係るメディア収納ケースを示す外観図。
【図９】同メディア収納ケースの展開状態を示す図。
【図１０】同メディア収納ケースの折畳状態を示す図。
【図１１】本発明の第２実施形態に係るメディア収納ケースを示す外観図。
【図１２】同メディア収納ケースの展開状態を示す図。
【図１３】同メディア収納ケースの折畳状態を示す正面図。
【図１４】同メディア収納ケースの作用説明図。
【図１５】同実施形態の変形例に係るメディア収納ケースの展開状態を示す図。
【符号の説明】
【００５３】
１…ベース
１ｄ…折畳線
１ｅ…ベース厚変更部
２…ポケット形成部材
３…保護シート
４…ポケット
４ａ…三重止着部
４ｂ…二重止着部
４１１ａ、４１２ａ、４１３ａ…挿入補助部
４２１ａ、４２２ａ、４２３ａ…挿入補助部
４３１ａ、４３２ａ、４３３ａ…挿入補助部
４２３…他のポケット（帯収納部）
４１２ｃ、４２２ｃ、４３２ｃ…スリット
４１１ｄ…見出し部
４２１ｅ…ポケット厚変更部
５…綴じ部
６…保持片
７…架設帯
Ｃ、Ｃ１、Ｃ２、Ｃ３…メディア収納ケース
Ｄ…メディア（光ディスク）
Ｐ…折畳状態
Ｑ…展開状態
【図１】
2010018295.tif 000003
【図２】
2010018295.tif 000004
【図３】
2010018295.tif 000005
【図４】
2010018295.tif 000006
【図５】
2010018295.tif 000007
【図６】
2010018295.tif 000008
【図７】
2010018295.tif 000009
【図８】
2010018295.tif 000010
【図９】
2010018295.tif 000011
【図１０】
2010018295.tif 000012
【図１１】
2010018295.tif 000013
【図１２】
2010018295.tif 000014
【図１３】
2010018295.tif 000015
【図１４】
2010018295.tif 000016
【図１５】
2010018295.tif 000017